(57)【要約】  いくつかの態様によれば、本発明の実施形態は、ＳＥＬＴの解析に基づいて、ＣＰＥモデムの近くの不適切な接続による接続性の喪失（すなわち、スモールループ状態）を検出するための方法および装置に関する。実施形態では、この状態が、ｘＤＳＬバンドプラン内の異なる伝送帯に関連する時間領域信号の位置およびレベルを別々に解析することに基づいて検出される。
2016535519.tif 000002
【特許請求の範囲】
【請求項１】
通信システム内のモデムの近くの接続を検査するための方法であって、
２つ以上の別々の周波数帯について回線からテスト信号データを受信することと、
前記別々の周波数帯のうちの第１および第２の周波数帯に対応する時間領域データの少なくとも第１および第２の異なるセットに前記テスト信号データを別々に変換することと、
前記モデムの近くの不適切な接続を識別するために前記第１および第２の時間領域データを解析することと
を含む方法。
【請求項２】
前記テスト信号データが周波数領域Ｓ１１データを含む請求項１に記載の方法。
【請求項３】
解析することが、前記モデムに連結された回線内のショートループ状態を決定することを含む請求項１に記載の方法。
【請求項４】
解析することが、時間領域データの前記第１および第２の異なるセットの一方または両方の中のピークを識別することを含む請求項１に記載の方法。
【請求項５】
解析することが、識別されたピークをしきい値と比較することと、前記しきい値を超える識別されたピークを真正なピークとして宣言することとをさらに含む請求項４に記載の方法。
【請求項６】
前記別々の周波数帯のうちの前記第１の周波数帯が、前記別々の周波数帯のうちの前記第２の周波数帯よりも周波数が高く、時間領域データの前記第１のセット内の前記識別されたピークが、前記回線内のショートループ状態を決定するために使用される請求項４に記載の方法。
【請求項７】
前記ショートループ状態が、時間領域データの前記第１のセット内の前記識別されたピークを使用して決定される場合、時間領域データの前記第２のセット内の前記識別されたピークが、ショートループ状態を宣言するために使用される請求項６に記載の方法。
【請求項８】
前記識別されたピークが、最小しきい値と最大しきい値の一方または両方と比較される請求項７に記載の方法。
【請求項９】
前記比較を実施する前に、前記識別されたピークのレベルをマージンだけ調節することをさらに含む請求項８に記載の方法。
【請求項１０】
前記モデム内のタイミングシフトに対して保護することをさらに含む請求項１に記載の方法。
【請求項１１】
保護することが、前記テスト信号データを受信する前に実施される事前調整ステップで実施される請求項１０に記載の方法。
【請求項１２】
前記モデムがＣＰＥモデムであり、前記第１および第２の別々の周波数帯が、ｘＤＳＬシステム周波数帯プラン内の別々の第１および第２のアップストリームバンドである請求項１に記載の方法。
【請求項１３】
前記テスト信号データが、前記第１および第２のアップストリームバンドのみ内のトーンを使用して構築されたシンボルに関連付けられる請求項１２に記載の方法。
【請求項１４】
通信システム内のモデムの近くの接続を検査するための装置であって、
２つ以上の別々の周波数帯について回線からテスト信号データを受信するキャプチャブロックと、
前記別々の周波数帯のうちの第１および第２の周波数帯に対応する時間領域データの少なくとも第１および第２の異なるセットに前記テスト信号データをそれぞれ変換する第１および第２のＩＦＦＴと、
前記モデムの近くの不適切な接続を識別するために前記第１および第２の時間領域データを解析するＴＤＲ解析エンジンと
を備える装置。
【請求項１５】
前記テスト信号データが周波数領域Ｓ１１データを含む請求項１４に記載の装置。
【請求項１６】
前記別々の周波数帯のうちの前記第１の周波数帯が、前記別々の周波数帯のうちの前記第２の周波数帯よりも周波数が高く、時間領域データの前記第１のセット内の識別されたピークが、前記回線内のショートループ状態を決定するために使用される請求項１４に記載の装置。
【請求項１７】
前記ショートループ状態が、時間領域データの前記第１のセット内の前記識別されたピークを使用して決定される場合、時間領域データの前記第２のセット内の前記識別されたピークが、ショートループ状態を宣言するために使用される請求項１６に記載の装置。
【請求項１８】
前記識別されたピークが、最小しきい値と最大しきい値の一方または両方と比較される請求項１７に記載の装置。
【請求項１９】
前記モデムがＣＰＥモデムであり、前記第１および第２の別々の周波数帯が、ｘＤＳＬシステム周波数帯プラン内の別々の第１および第２のアップストリームバンドである請求項１４に記載の装置。
【発明の詳細な説明】
【技術分野】
【０００１】
関連出願の相互参照
[0001]本願は、その内容全体が参照により本明細書に組み込まれる、２０１３年７月２９日出願の米国仮出願第６１／８５９，５７６号の優先権を主張する。
【０００２】
[0002]本発明は、一般にはｘＤＳＬ通信システムに関し、より詳細には、ＣＰＥの近くの不適切な接続を検出するための方法および装置に関する。
【背景技術】
【０００３】
[0003]シングルエンド回線テスト（すなわちＳＥＬＴ、たとえば、ＩＴＵ−Ｔ  Ｓｔａｎｄａｒｄ，  Ｇ．９９３．２，  ＳＥＲＩＥＳ  Ｇ：  ＴＲＡＮＳＭＩＳＳＩＯＮ  ＳＹＳＴＥＭＳ  ＡＮＤ  ＭＥＤＩＡ，  ＤＩＧＩＴＡＬ  ＳＹＳＴＥＭＳ  ＡＮＤ  ＮＥＴＷＯＲＫＳ，  Ｄｉｇｉｔａｌ  ｓｅｃｔｉｏｎｓ  ａｎｄ  ｄｉｇｉｔａｌ  ｌｉｎｅ  ｓｙｓｔｅｍ  −  Ａｃｃｅｓｓ  ｎｅｔｗｏｒｋｓ，  Ｖｅｒｙ  ｈｉｇｈ  ｓｐｅｅｄ  ｄｉｇｉｔａｌ  ｓｕｂｓｃｒｉｂｅｒ  ｌｉｎｅ  ｔｒａｎｓｃｅｉｖｅｒｓ  ２  （ＶＤＳＬ２）（２００６年２月）、ＩＴＵ−Ｔ  Ｇ．９９６．２，  ＳＥＲＩＥＳ  Ｇ：  ＴＲＡＮＳＭＩＳＳＩＯＮ  ＳＹＳＴＥＭＳ  ＡＮＤ  ＭＥＤＩＡ，  ＤＩＧＩＴＡＬ  ＳＹＳＴＥＭＳ  ＡＮＤ  ＮＥＴＷＯＲＫＳ，  Ｄｉｇｉｔａｌ  ｓｅｃｔｉｏｎｓ  ａｎｄ  ｄｉｇｉｔａｌ  ｌｉｎｅ  ｓｙｓｔｅｍ  −  Ａｃｃｅｓｓ  ｎｅｔｗｏｒｋｓ，  Ｌｉｎｅ  Ｔｅｓｔｉｎｇ  ｆｏｒ  Ｄｉｇｉｔａｌ  Ｓｕｂｓｃｒｉｂｅｒ  ｌｉｎｅｓ  （ＤＳＬ）、および「Ｆｅａｓｉｂｉｌｉｔｙ  ａｎｄ  ｐｒｏｂｌｅｍｓ  ｏｆ  ＤＳＬ  ｌｏｏｐ  ｔｏｐｏｌｏｇｙ  ｉｄｅｎｔｉｆｉｃａｔｉｏｎ  ｖｉａ  ｓｉｎｇｌｅ−ｅｎｄｅｄ  ｌｉｎｅ  ｔｅｓｔｓ」，  Ｃａｒｉｎｅ  Ｎｅｕｓ，  １６ｔｈ  ＩＭＥＫＯ  ＴＣ４  Ｓｙｍｐｏｓｉｕｍ  Ｅｘｐｌｏｒｉｎｇ  Ｎｅｗ  Ｆｒｏｎｔｉｅｒｓ  ｏｆ  Ｉｎｓｔｒｕｍｅｎｔａｔｉｏｎ  ａｎｄ  Ｍｅｔｈｏｄｓ  ｆｏｒ  Ｅｌｅｃｔｒｉｃａｌ  ａｎｄ  Ｅｌｅｃｔｒｏｎｉｃ  Ｍｅａｓｕｒｅｍｅｎｔｓ  ２００８年９月２２〜２４日、フィレンツェ、イタリアを参照）では、既知の信号がループを介して送られ、ループ特性、および回線上に存在する障害を決定するために、反射した信号が解析される。
【０００４】
[0004]一方、自宅内の配線問題、および特に顧客構内機器（ＣＰＥ）の近くの配線問題は非常に一般的である。一例は、ワイヤをＣＰＥに不適切に接続することである。コネクタがＣＰＥまたはウォールユニットで完全に接続されていないことがあり、またはワイヤを接続する際に、コネクタが単に全く見落されることがある。他の理由には、配線が自宅からＮＩＤまでの中で切断されることが含まれる。いずれにしても、そのような接続問題は、不必要なサービスコールおよび／またはユーザとサービスプロバイダの両方に対する他の不都合につながる。
【０００５】
[0005]ワイヤード通信（ＤＳＬ、ケーブルモデムなど）では、ループ診断はしばしば、シングルエンドループテスティング（ＳＥＬＴ）の解析に基づく。しかし、現在のＳＥＬＴ技法は、それ自体では前述のような不適切な接続を検出することに十分には熟達していない。
【発明の概要】
【０００６】
[0006]いくつかの態様によれば、本発明の実施形態は、ＳＥＬＴの解析に基づいて、ＣＰＥモデムの近くの不適切な接続による接続性の喪失（すなわち、スモールループ状態）を検出するための方法および装置に関する。実施形態では、この状態が、ｘＤＳＬバンドプラン内の異なる伝送帯に関連する時間領域信号の位置およびレベルを別々に解析することに基づいて検出される。
【０００７】
[0007]これらおよび他の態様によれば、本発明の実施形態による通信システム内のモデムの近くの接続を検査する方法が、２つ以上の別々の周波数帯について回線からテスト信号データを受信することと、別々の周波数帯のうちの第１および第２の周波数帯に対応する時間領域データの少なくとも第１および第２の異なるセットにテスト信号データを別々に変換することと、モデムの近くの不適切な接続を識別するために第１および第２の時間領域データを解析することとを含む。
【０００８】
[0008]本発明のこれらおよび他の態様および特徴は、添付の図と共に本発明の特定の実施形態の以下の説明を検討するときに当業者には明らかとなるであろう。
【図面の簡単な説明】
【０００９】
【図１】[0009]本発明の実施形態が実装され得る例示的システムを示すブロック図。
【図２】[0010]本発明の実施形態によるＳＥＬＴ信号が適合され得る例示的バンドプランを示す図。
【図３】[0011]本発明の実施形態による例示的ループ診断装置を示すブロック図。
【図４】[0012]本発明の実施形態による例示的解析エンジンのブロック図。
【図５】[0013]本発明の実施形態による、スモールループ状態（たとえば、ＣＰＥの近くの不適切な接続）を検出するための例示的方法を示す流れ図。
【図６】[0014]本発明の実施形態によって解析され得る様々なループ長における回線切断に関連するＵ２帯時間領域信号内のピークを示す図。
【図７】[0015]本発明の実施形態によって解析され得る様々なループ長における不適切に設置されたマイクロフィルタに関連するＵ２帯時間領域信号内のピークを示す図。
【図８】[0017]本発明の実施形態によって解析され得る様々な長さにおける回線切断およびマイクロフィルタに関連するＵ０帯時間領域信号を示す図。
【発明を実施するための形態】
【００１０】
[0018]次に、当業者が本発明を実施することを可能にするように本発明の例示的例として与えられる図面を参照しながら、本発明が詳細に説明される。特に、図および以下の例は、単一の実施形態に本発明の範囲を限定することを意味するわけではなく、説明または図示される要素の一部またはすべての交換によって他の実施形態が可能である。さらに、本発明のいくつかの要素が、既知の構成要素を使用して部分的または完全に実装され得る場合、本発明の理解にとって必要なそのような既知の構成要素の部分だけが説明され、そのような既知の構成要素の他の部分の詳細な説明は、本発明を不明瞭にしないように省略される。当業者には明らかであろうが、本明細書で指定されない限り、ソフトウェアで実装されるものとして説明される実施形態は、それに限定されるべきではなく、ハードウェア、またはソフトウェアとハードウェアとの組合せで実装された実施形態を含み得、逆も同様である。本明細書で明示的に規定されるのでない限り、本明細書では、単一の構成要素を示す実施形態は限定と見なされるべきではなく、むしろ本発明は、複数の同一の構成要素を含む他の実施形態を包含するものとし、逆も同様である。さらに、出願人は、明示的に記述されるのでない限り、本明細書または特許請求の範囲の中の何らかの用語が普通ではない意味または特別な意味に帰することを意図しない。さらに、本発明は、例として本明細書で参照される既知の構成要素に対する現在および将来の既知の均等物を包含する。
【００１１】
[0019]いくつかの態様によれば、本発明の実施形態は、ＳＥＬＴの解析に基づいて、ＣＰＥモデムに対する、またはＣＰＥモデムの近くの不適切な接続による接続性の喪失を検出するためのアルゴリズムを含む。別の態様によれば、そのような状態の自動検出は、最小限のサポートサービスで問題を解決する助けとなり得る。ＣＰＥからのフィードバックメッセージは、サービスプロバイダが関与することさえなしに、問題を修正するように顧客に警報し得る。
【００１２】
[0020]図１は、本発明の実施形態が実装され得る例示的システム１００を示すブロック図である。図１に示されるように、複数のＮ個のＣＰＥトランシーバ１０２−１から１０２−Ｎが、それぞれのループ１０６−１から１０６−Ｎを介してＣＯ１０４に連結される。１つの非限定的な例では、システム１００は、ＶＤＳＬ２に従って動作するＤＳＬシステムであり得、その中で、トランシーバ１０２−１から１０２−Ｎのいくつかまたはすべてが、ＣＯ１０４によってベクタリンググループとして構成される。しかし、本発明はこの例に限定されない。
【００１３】
[0021]前述のように、ワイヤード通信システム（ＤＳＬ、ケーブルモデムなど）では、ループ診断はしばしば、ＳＥＬＴデータの解析に基づく。たとえば、ＣＰＥ１０２−１は、ループ１０６−１上でＣＰＥ１０２−１によって送信され、反射してＣＰＥ１０２−１に戻ったＳＥＬＴ信号を使用して、ループ１０６−１を特徴付けるために診断を実施し得る。具体的には、システム１００がＶＤＳＬ２に従って動作している一例では、ＣＰＥ１０２−１によって実施される従来型ＳＥＬＴは、各ＶＤＳＬ２シンボル期間を約５秒から約２分の期間の間として、シンボル（たとえば、変調ＲＥＶＥＲＢシンボル）を継続的に送信することと、およびループ１０６−１から反射を測定すること（すなわち、Ｓ１１データを得ること）とを含み得る。ＣＰＥ１０２−１がそのＳＥＬＴテストを実施する間、他のＣＰＥ１０２−２から１０２−Ｎの一部またはすべてが同一のシンボル期間を使用してＳｈｏｗｔｉｍｅで動作中であり得ることに留意されたい。
【００１４】
[0022]ＶＤＳＬ２などの従来型システムでは、規定のバンドプランに従ってアップストリーム信号を送信することが許可されるいくつかの周波数帯がＣＰＥに割り当てられることを本発明者らは理解している。Ｇ．９９３．２規格で与えられるような例示的バンドプランが、図２に示されている。図示されるように、例示的バンドプランは、３つのアップストリームバンドＵ０（０．０２５ＭＨｚから０．１３８ＭＨｚまでのトーンを含む）、Ｕ１（３．７５ＭＨｚから５．２ＭＨｚまでのトーンを含む）、およびＵ２（８．５ＭＨｚから１２．０ＭＨｚまでのトーンを含む）と、２つのダウンストリームバンドＤ１（０．１３８ＭＨｚから３．７５ＭＨｚまでのトーンを含む）およびＤ２（５．２ＭＨｚから８．５ＭＨｚまでのトーンを含む）とを含む。したがって、ＣＰＥ１０２−１によって構築され、ＳＥＬＴで使用されるシンボルは、アップストリームバンドＵ０、Ｕ１、およびＵ２内のトーンのみを使用することができる。
【００１５】
[0023]その結果、従来型ＳＥＬＴ  Ｓ１１データは、アップストリームバンド（たとえば、Ｕ０、Ｕ１、およびＵ２）を使用する信号についてのみ利用可能である。一方、スモールループ状態などのループ障害を正確に検出するためにＳＥＬＴが使用され得るならばそれは望ましいはずである。しかし、従来型ＳＥＬＴ信号のバンド構造のために、周波数領域（ＦＤＲ）解析または時間領域（ＴＤＲ）解析のどちらかを使用してシグニチャ(signatures)を検出することは難しいことを本発明者らはさらに理解している。たとえば、ＦＤＲデータ内のギャップが、ＦＤＲ解析を使用してパターンを探すことを難しくする。同様に、Ｓ１１データ内の不連続が、ＴＤＲ信号内のアーチファクトを生み出し、スモールループなどの障害に関連するシグニチャを乱す。
【００１６】
[0024]したがって、いくつかの態様によれば、本発明の実施形態は、スモールループなどの障害を効果的に検出するために、アップストリームバンドのうちの１つまたは複数からの信号がＴＤＲ方法を使用して別々に解析される方法を含む。これはまた、異なる帯域における信号の異なる特性（たとえば、信号の速度は異なる帯域で変化する）を活用する助けともなる。さらに、別々に処理された帯域からの情報を組み合わせることにより、本発明の実施形態は、スモールループ状態をより正確に決定し得、スプリアススパイクから真正なピークをより正確に区別し得る。
【００１７】
[0025]本発明は、ＶＤＳＬ２を実装するシステムおよび／または、図２に示されるようなバンドプランを使用するシステムに限定されないことに留意されたい。むしろ、この例によって教示を受けた後、他のシステム、バンドプラン、および／または帯域数を使用して本発明をどのように実装するかを当業者は理解するであろう。
【００１８】
[0026]本発明の実施形態による、ＳＥＬＴを実施するための例示的装置を示すブロック図が、図３に示されている。図示されているように、装置３００は、ＳＥＬＴキャプチャブロック３０２および解析エンジン３０４を含む。
【００１９】
[0027]ＳＥＬＴキャプチャブロック３０２は、アップストリームバンドのうちの１つまたは複数の中のトーンから構築されたシンボル（たとえば、変調ＲＥＶＥＲＢシンボル）を使用してＳＥＬＴ信号を形成し、ループ上で信号を送信し、ループからの反射を測定し、Ｓ１１反射データを解析エンジン３０４に供給するための機能を含む。ＳＥＬＴキャプチャブロック３０２は、当業者に既知の技法を使用して実装され得、したがってそのより詳しい詳細は、本発明の明快さのためにここでは省略される。
【００２０】
[0028]解析エンジン３０４は、キャプチャブロック３０２からＳ１１反射データを受信する。実施形態では、エンジン３０４は、ＳＥＬＴキャプチャブロック３０２によってＳＥＬＴ信号が送信および反射される、ＣＰＥについてのスモールループ状態を効果的に検出するために、ＴＤＲ方法を使用して各アップストリームバンドからのデータを別々に解析する。
【００２１】
[0029]実施形態では、装置３００はＣＰＥトランシーバ１０２内に組み込まれる。これらおよび他の実施形態では、ＣＰＥトランシーバ１０２（ならびにＣＯ１０４内のトランシーバ）は、図２に示されるようなバンドプランを使用して、ＶＤＳＬ２、ＡＤＳＬ２などによって定義されるような通信サービスを実装する従来型プロセッサ、チップセット、ファームウェア、ソフトウェアなどを有するＤＳＬトランシーバ（たとえば、Ｉｋａｎｏｓ  Ｃｏｍｍｕｎｉｃａｔｉｏｎｓ，  Ｉｎｃ．のＶＸ１８０）を含む。これらおよび他の実施形態ではさらに、装置３００は、Ｉｋａｎｏｓ  Ｃｏｍｍｕｎｉｃａｔｉｏｎｓ，  Ｉｎｃ．によって提供されるＳｍａｒｔＣＰＥなどの診断スイートによって提供されるようなＳＥＬＴ機能を適合させることによって実装され得る。上記および以下の例によって教示を受けた後、本発明のＳＥＬＴ機能を実装するためにそのようなプロセッサ、チップセット、ファームウェア、ソフトウェアなどをどのように適合させるかを当業者は理解することができるであろう。
【００２２】
[0030]代替実施形態では、装置３００がスタンドアロンループ診断および／または監視デバイス内に組み込まれ得、本開示によって教示を受けた後、本発明のこれらの実施形態を当業者は実装することもできることになることに留意されたい。
【００２３】
[0031]本発明の実施形態がアップストリームバンドを使用してＣＰＥトランシーバ１０２内の、またはＣＰＥトランシーバ１０２の近くの回線１０６のダウンストリーム端に対して実施されるＳＥＬＴと共に説明されることにさらに留意されたい。しかし、本発明はこの例に限定されず、そのような機能はまた、ダウンストリームバンドを使用して、回線１０６のＣＯ端においてトランシーバ内に、またはトランシーバの近くに組み込まれ得る。
【００２４】
[0032]本発明の実施形態による例示的解析エンジン３０４を示すブロック図が、図４に示されている。
【００２５】
[0033]図示されているように、エンジン３０４は入力ＳＥＬＴ  Ｓ１１信号を受信し、入力ＳＥＬＴ  Ｓ１１信号は、当業者にはよく理解されるように、本質的には送信された信号によって割られた測定された反射信号の周波数領域表現である。この入力信号はバンドスプリッタ４０２に供給され、バンドスプリッタ４０２は、送信されたＳＥＬＴ信号に対して使用される各アップストリームバンドに対応する通過帯域フィルタ（すなわち、周波数領域ウィンドウ）を含む。図２のバンドプランが送信信号に対して使用される例では、これは、３つのアップストリームバンドＵ０（０．０２５ＭＨｚから０．１３８ＭＨｚまで）、Ｕ１（３．７５ＭＨｚから５．２ＭＨｚまで）、およびＵ２（８．５ＭＨｚから１２．０ＭＨｚまで）を含む。前述のように、本発明はこの例に限定されない。
【００２６】
[0034]帯域Ｕ０、Ｕ１、およびＵ２からの３つの周波数領域信号が、ＩＦＦＴ４０４によって時間領域信号に別々に変換され、３つの時間領域信号が、たとえばスモールループ状態の検出を含み得るループレポートを生成するために、ＴＤＲ解析ブロック４０６によって解析される。図４に示されるような例示的エンジン３０４の追加の実装特徴は、エンジン３０４によって実施される解析方法と共に以下の説明からさらに明らかとなるであろう。
【００２７】
[0035]スモールループ状態を検出する実施形態による例示的方法が図５に示され、以下で説明される。
【００２８】
[0036]ｒｘ／ｔｘタイミングシフトは、ＳＥＬＴ信号が送信されるときと、ＳＥＬＴ信号が受信されるときとの間の遅延の変化である。これは、遅延なしで固定されることが好ましい。しかし、ＣＰＥでの様々なアナログおよびデジタル処理の後、異なるキャプチャ間に遅延の小さな変化があり得ることを本発明者らは理解している。このタイミングシフトは小さいが、スモールループ検出の精度に依然として影響を及ぼし、さらには検出を妨げ得る。最良の手法は、これが設計（たとえば、ｒｘ／ｔｘタイミングの微細な制御または何らかの形態の較正）によって生じないことを確認することである。それがない場合、図５の例に示されるように、任意選択の事前調整ステップＳ５０２が、ｒｘ／ｔｘタイミングシフトからの問題を回避するために実施され得る。
【００２９】
[0037]実施形態では、Ｓ５０２は、ループを接続せずにＣＰＥからＳＥＬＴ信号を送信することと、およびステップＳ５０６と共に以下でより詳細に説明されるように、キャプチャされたＳ１１データからＵ２データ内のメインピークを識別することとを含む。メインピークの位置は、ゼロ長の位置として記録され、次いで以下で説明されるように、後で補償される。この手順は、スタートアップごとに必要となり得、または以下で説明されるステップＳ５０８内に含まれ得る。
【００３０】
[0038]次にステップＳ５０４では、本明細書で説明される例示的実施形態では、ＳＥＬＴ信号が、図２に示されるようなＶＤＳＬ帯を使用してＣＰＥから送信され、したがってキャプチャブロック３０２によって３つのアップストリーム帯Ｕ０、Ｕ１、およびＵ２についてキャプチャされたＳＥＬＴ  Ｓ１１データがある。全ＳＥＬＴキャプチャデータが、スプリッタ４０２によってＵ０、Ｕ１、およびＵ２についての３つの帯域に分割され、３つの各帯域についての時間領域信号を形成するために、ＩＦＦＴがＩＦＦＴ４０４によってこれらの各帯域上で実施される。ショートループについてのシグニチャが、解析エンジン３０２によって各帯域を独立に解析することによって検出される。以下でより詳細に説明される例では、帯域Ｕ０およびＵ２だけが使用される。しかし、本発明はこの例には限定されない。
【００３１】
[0039]次のステップＳ５０６では、（経験的にあらかじめ決定されるピークについてのしきい値を満たす）単一の真正なピークがあるかどうか、およびこのピークはスモールループ範囲（たとえば、６０フィート以下）内にあるかどうかをチェックするために、Ｕ２帯時間領域信号が解析エンジン３０４によって精査(scan)される。複数のピークがあり、またはスモールループ範囲（たとえば、６０フィート以下）を超えるピークがある場合、それはスモールループとはなり得ず、さらなる解析は不要である。真正のピークの位置が記録される。
【００３２】
[0040]図６は、エンジン３０２が６フィート（すなわち、プロット６０２）、１８フィート（すなわち、プロット６０４）、３０フィート（すなわち、プロット６０６）、４２フィート（すなわち、プロット６０８）、および５４フィート（すなわち、プロット６１０）の長さでの回線切断を有するループについてＵ２帯ピークをどのように解析し得るかの一例を示す。線６３０は、Ｕ２ピークしきい値の一例であり、Ｕ２ピークしきい値は、経験的に、または理論モデルからあらかじめ決定され得る。したがって、たとえば、図６に示される各Ｕ２データプロットは、線６３０を超える６０フィート未満でのピークを有するので、エンジン３０２は、ピークが恐らくはスモールループ状態を示すと識別するであろう。
【００３３】
[0041]別の例として、図７は、６フィート（すなわち、プロット７０２）、１８フィート（すなわち、プロット７０４）、３０フィート（すなわち、プロット７０６）、４２フィート（すなわち、プロット７０８）、および５４フィート（すなわち、プロット７１０）の長さに誤って配置されたマイクロフィルタについてのＵ２帯ピークを示す。図６と同様に、横切る線７３０は、Ｕ２ピークしきい値の一例である。誤って配置されたマイクロフィルタは不適切な接続としても検出されることに留意されたい。さらに図６と同様に、図７に示される各Ｕ２データプロットは、線７３０を超える６０フィート未満のピークを有するので、エンジン３０２は、ピークが恐らくはスモールループ状態を示すと識別するであろう。
【００３４】
[0042]前述のように、ステップＳ５０６が所定の長さ（たとえば６０フィート）未満でいかなる単一の真正なピークも識別しない場合、処理は終了し、スモールループ状態は宣言されない。そうでない場合、図５に示されるように、次のステップＳ５０８は、ＳＥＬＴにおける時間シフトに対する保護があることを確認することである。任意選択の第１のステップＳ５０２が行われる場合、このステップは不要であり、その場合、処理はステップＳ５１０に進む。
【００３５】
[0043]ステップＳ５０８の一例では、ステップＳ５０４で得られたＵ２時間領域信号が、ステップＳ５０４から識別されたピークから負の時間方向に再びサーチされる。Ｕ２内の追加の負の時間ピークの存在は、ＳＥＬＴタイミングシフトならびに可能性のあるスモールループ状態を示す。そのような負のピークの例は、図６のプロット６０２および６０４についてのものを含む。
【００３６】
[0044]ステップＳ５０８の一部としての第２の方式は、テスト下の同一のループでＣＰＥを複数回再始動し、ＳＥＬＴ信号を再び送信し、反射されたＵ２データについての時間領域信号内のピークを探すことである。ピーク位置が変化する場合、タイミングシフトがある可能性がある。その場合、最も頻繁に生じ、負の軸内にないピーク位置に関連するｘ軸位置がステップＳ５０６で使用される。
【００３７】
[0045]どちらにしても、処理はステップＳ５１０に進み、（ステップＳ５０２またはＳ５０８での処理によって調節された）スモールループ距離でのＵ０ピークレベルがしきい値の範囲内にあることを確認するために、エンジン３０４がＵ０時間領域信号データを解析する。実施形態では、これらのしきい値が、異なる短距離でレベルを測定し、何らかの余分なマージンとともにレベルを選ぶことにより、所与のモデムについて経験的に選ばれる。最大レベルと最小レベルの両方について別々のしきい値が使用され得ることに留意されたい。実施形態では、単一のしきい値だけが使用される。
【００３８】
[0046]たとえば、時間領域Ｕ０信号データ内の信号レベルが、０フィートと７０フィートとの間のスモールループのすべての距離について測定され、最大および最小Ｕ０信号ピークレベルが決定される。実施形態では、たとえば１０％のマージンが選ばれる（すなわち、最小の識別されたＵ０信号レベルが１０％低減され、最大のＵ０信号レベルが１０％増大される）。次いで、これらの最小および（いくつかの実施形態では）最大Ｕ０信号ピークレベルがしきい値として設定される。テストでの信号ピークレベルがしきい値以内にある場合、スモールループ状態が宣言される。
【００３９】
[0047]図８は、様々な長さでの不適切に配置されたマイクロフィルタおよび回線切断についてのＵ０帯ピーク、ならびに本発明の例示的実装で使用され得る例示的しきい値曲線８３０を示す。
【００４０】
[0048]本発明の実施形態は、その内容全体が本明細書に組み込まれる同時係属出願第  ［１３ＩＫ０３］で説明されるＳＥＬＴ機能と共に実施され得ることに留意されたい。
【００４１】
[0049]本発明が、その好ましい実施形態を参照しながら具体的に説明されたが、本発明の精神および範囲から逸脱することなく、形態および細部の変更および修正が行われ得ることは当業者にとって容易に明らかなはずである。添付の特許請求の範囲はそのような変更および修正を包含することが意図されている。
【図１】
2016535519.tif 000003
【図６】
2016535519.tif 000004
【図７】
2016535519.tif 000005
【図８】
2016535519.tif 000006
【図２】
2016535519.tif 000007
【図３】
2016535519.tif 000008
【図４】
2016535519.tif 000009
【図５】
2016535519.tif 000010
【国際調査報告】
2016535519.tif 000011
2016535519.tif 000012
2016535519.tif 000013